(57)【特許請求の範囲】
【請求項１】
パルス幅変調クロック信号と、モータの回転により発生するモータ回転数クロック信号とに基づいてモータの回転数を制御するロジック回路を備えた回転制御装置において、
パルス幅変調クロック信号を発信するＰＷＭ信号発生回路と、
上記ＰＷＭ信号発生回路から発信したパルス幅変調クロック信号と、上記モータ回転数クロック信号とに基づいて上記モータの回転数の制御に要する差信号を出力する速度差演算回路と、
上記速度差演算回路から出力された差信号が流れる配線に設けられ、切り替えにより当該配線の抵抗値を変更し、当該差信号の電流値を変更するスイッチ回路と、
所定の抵抗に、当該抵抗を流れた電流を蓄積して所定の直流電圧を提供する所定のコンデンサが接続された回路から構成され、上記ＰＷＭ信号発生回路から発信したパルス幅変調クロック信号を平滑化し、直流電圧として出力する平滑回路と、
上記平滑回路から出力された直流電圧を、上記速度差演算回路と上記スイッチ回路の駆動に要する直流電圧に変換し、当該速度差演算回路と当該スイッチ回路とにそれぞれ与える電源生成回路と
を備えることを特徴とする回転制御装置。
【請求項２】
さらに、上記平滑回路から出力された直流電圧と、上記パルス幅変調クロック信号とに基づいて、当該パルス幅変調クロック信号の周波数が逓倍されたクロック信号を出力するＰＬＬ回路を備え、
上記電源生成回路を、上記逓倍されたクロック信号を、上記速度差演算回路と上記スイッチ回路の駆動に要する直流電圧に変換し、当該速度差演算回路と当該スイッチ回路とにそれぞれ与えるチョッパ電源回路とすることを特徴とする請求項１に記載の回転制御装置。
【請求項３】
上記ＰＷＭ信号発生回路を、周波数が逓倍されたパルス幅変調クロック信号を発生する逓倍信号発生回路とし、
上記逓倍されたパルス幅変調クロック信号を所定の周波数を有するパルス幅変調クロック信号に分周し、制御信号として上記速度差演算回路に出力する分周器を備え、
上記平滑回路が、上記逓倍されたパルス幅変調クロック信号を平滑化し、直流電圧として上記電源生成回路に出力することを特徴とする請求項１に記載の回転制御装置。
【発明の詳細な説明】
【技術分野】
【０００１】
本発明は、回転制御装置に関し、詳しくは、パルス幅変調クロック信号からロジック回路の駆動に要する直流電源を生成することが可能な回転制御装置に関する。
【背景技術】
【０００２】
近年、複写機、プリンタ、複合機等の画像形成装置では、感光体ドラムや転写ローラ、搬送ローラ等に直流（ＤＣ）モータ、例えば、ブラシの磨耗がなく、長寿命を有するＤＣブラシレスモータが一般に使用されている。
【０００３】
上記ＤＣブラシレスモータの回転数を制御する場合、通常、ＰＬＬ（Ｐｈａｓｅ−ｌｏｃｋｅｄ  ｌｏｏｐ）制御が採用されている。ＰＬＬ制御とは、所定のクロック信号を、モータを駆動させるＰＬＬ速度制御回路に入力し、そのモータの回転から発生するモータ回転数クロック信号をフィードバックさせて、新たに入力されるクロック信号とモータ回転数クロック信号との差信号を算出し、その差信号に基づいて、モータにトルク指令信号を与えるＰＬＬ速度制御回路を制御し、モータの回転数を適宜所定の回転数に維持する制御方法のことである。
【０００４】
図４は、従来から行われていたＰＬＬ制御に関するＤＣブラシレスモータの回転制御装置の構成例を示すブロック図である。
【０００５】
例えば、ＤＣブラシレスモータ４０１が取り付けられた感光体ドラム４０２が回転すると、感光体ドラム４０２の回転軸に取り付けられた回転速度センサ４０３（例えば、ロータリエンコーダ）のモータ回転数クロック信号が、速度差演算回路４０４に与えられる。
【０００６】
速度差演算回路４０４には、モータ回転数クロック信号とは別に、パルス幅変調信号発生回路４０５（パルス幅変調、Ｐｕｌｓｅ  Ｗｉｄｔｈ  Ｍｏｄｕｌａｔｉｏｎ、以下、ＰＷＭとする）から発信されたパルス幅変調クロック信号（ＰＷＭクロック信号）が与えられている。ＰＷＭ信号発信回路４０５は、水晶振動子を備えた発振器と、発振器から発信されたクロック信号を分周する分周器とから構成され、ＤＣブラシレスモータ４０１が所定の回転数で回転している場合、当該分周器は、モータ回転数クロック信号に同期させるよう、ＰＷＭクロック信号を分周する。
【０００７】
上記速度差演算回路４０４は、モータ回転数クロック信号とＰＷＭクロック信号との速度差、加速度差、位相差を算出し、その速度差、加速度差、位相差に応じた差信号を、所定数の配線４０６を介して、ローパスフィルタ回路を兼ねたチャージポンプ回路４０７に与える。
【０００８】
ここで、チャージポンプ回路４０７に与えられる位相差の差信号は、モータの回転数に応じて所定の電流値に制御する必要があるため、その差信号が流れる配線４０６ａに、差信号の電流値を変更可能な所定数のスイッチ回路４０８と所定数の抵抗４０９とが組み合わされて設けられており、さらにモータの回転数に応じて、所定の速度指令信号を発信する速度指令信号発信回路４１０が設けられている。上記速度指令信号発信回路４１０から発信される速度指令信号により、位相差に対応する差信号の電流値を増減し、その増減された差信号がチャージポンプ回路４０７に流れる構成となる。
【０００９】
例えば、位相差の差信号が流れる配線４０６ａは二股にされ、一方の配線は所定の抵抗値を有する第一の抵抗４０９ａを接続され、他方の配線は第一のスイッチ回路４０８ａと第二の抵抗４０９ｂと第三の抵抗４０９ｃを直列に接続され、さらに、第二の抵抗４０９ｂには、第二のスイッチ回路４０８ｂの切り換えによってその第二の抵抗４０９ｂに流れる電流が迂回できるよう、第二のスイッチ回路４０８ｂと第二の抵抗４０９ｂとが並列に接続されて構成される。
【００１０】
上記速度指令信号発信回路４１０には、回転数の所定の範囲と、第一のスイッチ回路４０８ａの切り換えの可否（ＯＮ信号の出力の可否）と、第二のスイッチ回路４０８ｂの切り換えの可否（ＯＮ信号の出力の可否）とが関連付けて記憶されている。例えば、回転数２５０Ｈｚの要求が速度指令信号発信回路４１０に与えられると、速度指令信号発信回路４１０が第二のスイッチ回路４０８ｂにのみＯＮ信号を出力し、第二のスイッチ回路４０８ｂの接点を接触させて、差信号が流れる配線４０６ａの抵抗値を適度に変更し、当該差信号の電流値を所定の電流値に変更する。所定の電流値を有する差信号はそのままチャージポンプ回路４０７に与えられる。
【００１１】
チャージポンプ回路４０７は、与えられた差信号の電流値に基づいて、ＰＬＬ速度制御回路４１１に流す電流値を増減する。増減された電流値は、モータのトルク指令信号としてＰＬＬ速度制御回路４１１に与えられ、当該ＰＬＬ速度制御回路４１１は、そのトルク指令信号に基づいて、ＤＣブラシレスモータ４０１の回転軸のトルクを増減し、その回転数を制御する。
【００１２】
このようにして、回転制御装置は、ＰＷＭクロック信号とモータ回転数クロック信号とを同期させて、ＤＣブラシレスモータ４０１の回転数を制御し、感光体ドラム４０２を所定の回転速度で回転させている。
【発明の開示】
【発明が解決しようとする課題】
【００１３】
上述した回転制御装置では、図４に示すように、ＤＣブラシレスモータ４０１等の駆動部に電圧を与える駆動系電源４１２と、速度差演算回路４０４等のロジック回路に直流電圧を与えるロジック系電源４１３とは別個に設けられている。駆動系電源４１２は、約２４Ｖの電圧値を有する電圧を出力し、ロジック系電源４１３は、約５Ｖの電圧値を有する直流電圧を出力しているため、従来から、駆動系電源４１２が出力する電圧を、所定の電圧値を有する直流電圧に変換し、それをロジック回路に供給する試みが行われている。
【００１４】
しかしながら、駆動系電源４１２が出力する電圧には、多数のノイズが含まれているため、ロジック回路の駆動に要する直流電圧としてロジック回路に入力すると、ロジック回路の誤作動を招き、精度の高い制御をすることが出来ないという実態がある。そのため、回路制御装置では、常に駆動系電源４１２とロジック系電源４１３とは別個に設けているが、このような設計とすると、部品点数の増加、回路の複雑化を招くという問題がある。
【００１５】
また、ロジック回路を正常に駆動させるためには、ロジック系電源４１３によって与えられている直流電圧の電圧値が５Ｖである必要はなく、３．３Ｖ前後の直流電圧で十分駆動するという実態がある。ここで、回転制御装置に使用されているＰＷＭクロック信号の電圧値、つまり、１パルスのＨＩ信号の電圧値は５Ｖであり、所定の回路を組めば、ＰＷＭクロック信号の電圧値よりも低い電圧値であるロジック系電源４１３の直流電圧を生成できる可能性があるにも関わらず、そのＰＷＭクロック信号を適切に活用していないという問題があり、回転制御装置の見直しが図られている。
【００１６】
そこで、本発明は、上記問題を解決するためになされたものであり、パルス幅変調クロック信号からロジック回路の駆動に要する直流電源を生成することが可能な回転制御装置を提供することを目的とする。
【課題を解決するための手段】
【００１７】
上述した課題を解決し、目的を達成するために、本発明に係る回転制御装置は、パルス幅変調クロック信号と、モータの回転により発生するモータ回転数クロック信号とに基づいてモータの回転数を制御するロジック回路を備えた回転制御装置において、パルス幅変調クロック信号を発信するＰＷＭ信号発生回路と、上記ＰＷＭ信号発生回路から発信したパルス幅変調クロック信号と、上記モータ回転数クロック信号とに基づいて上記モータの回転数の制御に要する差信号を出力する速度差演算回路と、上記速度差演算回路から出力された差信号が流れる配線に設けられ、切り替えにより当該配線の抵抗値を変更し、当該差信号の電流値を変更するスイッチ回路と、所定の抵抗に、当該抵抗を流れた電流を蓄積して所定の直流電圧を提供する所定のコンデンサが接続された回路から構成され、上記ＰＷＭ信号発生回路から発信したパルス幅変調クロック信号を平滑化し、直流電圧として出力する平滑回路と、上記平滑回路から出力された直流電圧を、上記速度差演算回路と上記スイッチ回路の駆動に要する直流電圧に変換し、当該速度差演算回路と当該スイッチ回路とにそれぞれ与える電源生成回路とを備える。
【００１８】
パルス幅変調（ＰＷＭ）とは、パルスのディーティー比を変化させて変調すること、即ち、パルスの幅を変化させて、最適な電気信号に変換することをいい、ＰＷＭクロック信号とは、当該ＰＷＭによって発生したクロック信号のことである。なお、クロック信号とは、所定のデジタル回路（例えば、モータ等）が動作する時に、タイミング（同期）をとるための周期的な信号のことである。
【００１９】
モータの回転により発生するモータ回転数クロック信号とは、モータの回転数に対応する周期的な信号のことであり、このモータ回転数クロック信号は、例えば、ロータリエンコーダからなる速度検知センサによって出力される。ロータリエンコーダには、モータの回転数（アナログ信号）をパルス数（デジタル信号）に変換する機能があり、その変換方式には、光電式、ブラシ式、磁気式等があるが、どのような方式でも採用することが出来る。なお、ロータリエンコーダから出力されるモータ回転数クロック信号はエンコーダ信号ともいう。
【００２０】
さらに、上記モータ回転数クロック信号は、例えば、ＤＣブラシレスモータに接続されたファンクションジェネレータによって発振される信号であるファンクションジェネレータ信号（Ｆｒｅｑｕｅｎｃｙ  Ｇｅｎｅｒａｔｏｒ、ＦＧ信号）であっても構わない。
【００２１】
モータの回転数を制御するロジック回路とは、例えば、ＰＷＭクロック信号とモータ回転数クロック信号とに基づいて出力される差信号を演算する速度差演算回路や当該差信号が流れる配線の抵抗値を変更する所定数のスイッチ回路等が該当する。また、必要に応じて、上記ロジック回路が、他の回路素子、例えば、コンデンサ、コイル、オペアンプ、ダイオード、トランジスタ等を利用して構成された回路を包含しても構わない。
【００２２】
モータの回転数を制御する方法は、例えば、上記ロジック回路を用いて出力される差信号を、ＤＣブラシレスモータを駆動するＰＬＬ速度制御回路にフィードバックすることによって、所定の回転数を維持、制御する方法（ＰＬＬ制御）が採用される。
【００２３】
平滑回路は、例えば、簡単な回路として、所定の抵抗とコンデンサとを組み合せて構成される回路（ＲＣ積分回路）が挙げられるが、その他周知の平滑回路を随時適用しても構わない。さらに、平滑回路によって出力される直流電圧の電圧値が低い場合、所定の増幅回路を接続しても構わない。
【００２４】
上記電源生成回路は、例えば、入力電圧の変動、温度変動、時間経過にも関わらず、ノイズが少なく、安定した直流電圧を出力する回路が好ましく、例えば、低ドロップアウトレギュレータ（ＬＤＯ）を採用することができる。例えば、直流入力直流出力電源であるチョッパ電源回路、スイッチング制御電源回路、シリーズレギュレータ電源回路等を採用しても構わない。
【００２５】
さらに、上記平滑回路から出力された直流電圧と、上記パルス幅変調クロック信号とに基づいて、当該パルス幅変調クロック信号の周波数が逓倍されたクロック信号を出力するＰＬＬ回路を備え、上記電源生成回路を、上記逓倍されたクロック信号を、上記速度差演算回路と上記スイッチ回路の駆動に要する直流電圧に変換し、当該速度差演算回路と当該スイッチ回路とにそれぞれ与えるチョッパ電源回路とするよう構成することができる。
【００２６】
パルス幅変調クロック信号の周波数と比較して周波数が逓倍されたクロック信号とは、パルス幅変調クロック信号の周波数を整数倍されたクロック信号のことであり、通常、高周波数を有するクロック信号が該当する。
【００２７】
上記ＰＬＬ回路は、モータの回転数を制御するために設けられた速度差演算回路、ＰＬＬ速度制御回路等とは別個に設けられた回路である。例えば、入力された二つの信号の位相差を電圧に変換し出力する位相比較器と、位相比較器から出力される位相差に比例した誤差信号をノイズの少ない直流電圧（具体的には、リプルの少ない直流電圧）に変換するループフィルタと、ループフィルタから与えられた直流電圧によって出力パルス信号の周波数を制御するＶＣＯ（Ｖｏｌｔａｇｅ  Ｃｏｎｔｒｏｌｌｅｄ  Ｏｓｃｉｌｌａｔｏｒ）と、ＶＣＯから与えられた周波数をＮ分割（Ｎは整数又は分数）して出力する分周器とから構成される。
【００２８】
チョッパ電源回路とは、電流のＯＮとＯＦＦとを繰り返すことによって交流電源から、実効値として任意の電圧値又は電流値を擬似的に作り出す電源回路のことである。例えば、駆動系電源と接続されるドレイン端子と、上記ＰＬＬ回路と接続されるゲート端子と、チョークコイルと接続されるソース端子とを有するスイッチングトランジスタと、当該スイッチングトランジスタのＯＮによって電流を蓄積し、そのスイッチングトランジスタのＯＦＦによって電流を放出するチョークコイルと、当該チョークコイルの放出した電流を蓄積して所定の直流電圧を提供するコンデンサとから構成される。さらに、上記チョークコイルに過電流が流れないように、スイッチングトランジスタのソース端子に接続された配線を二股に構成し、一方の配線にチョークコイルを直列に接続し、他方の配線に、アノード端子がアースに接続されたダイオードのカソード端子を直列に接続するよう構成しても構わない。また、ＰＷＭクロック信号の特性やモータの駆動に対応して、周知の回路を適宜追加しても構わない。
【００２９】
なお、チョッパ電源回路は、直流入力直流出力電源として機能するが、他の回路、例えば、スイッチング制御電源回路、シリーズレギュレータ電源回路、チャージポンプ回路等を採用しても構わない。さらに、所定の周波数のみを通過させるために、ローパスフィルタ回路等のフィルタ回路を適宜追加しても構わない。
【００３０】
上記ＰＷＭ信号発生回路を、周波数が逓倍されたパルス幅変調クロック信号を発生する逓倍信号発生回路とし、上記逓倍されたパルス幅変調クロック信号を所定の周波数を有するパルス幅変調クロック信号に分周し、制御信号として上記速度差演算回路に出力する分周器を備え、上記平滑回路が、上記逓倍されたパルス幅変調クロック信号を平滑化し、直流電圧として上記電源生成回路に出力するよう構成することができる。
【００３１】
逓倍信号発生回路は、今まで出力されていたパルス幅変調クロック信号の周波数よりもその周波数が逓倍されたパルス幅変調クロック信号を発生する回路であれば、周知の発振器であってもよく、また、例えば、ＰＷＭクロック信号を発振する所定の水晶振動子と、当該水晶振動子から与えられたＰＷＭクロック信号を逓倍するＰＬＬ回路とから構成されても構わない。ＰＷＭクロック信号を逓倍することが可能な回路であれば、他の周知の回路を採用しても構わない。
【発明の効果】
【００３２】
本発明の回転制御装置によれば、パルス幅変調クロック信号を発信するＰＷＭ信号発生回路と、上記ＰＷＭ信号発生回路から発信したパルス幅変調クロック信号と、上記モータ回転数クロック信号とに基づいて上記モータの回転数の制御に要する差信号を出力する速度差演算回路と、上記速度差演算回路から出力された差信号が流れる配線に設けられ、切り替えにより当該配線の抵抗値を変更し、当該差信号の電流値を変更するスイッチ回路と、所定の抵抗に、当該抵抗を流れた電流を蓄積して所定の直流電圧を提供する所定のコンデンサが接続された回路から構成され、上記ＰＷＭ信号発生回路から発信したパルス幅変調クロック信号を平滑化し、直流電圧として出力する平滑回路と、上記平滑回路から出力された直流電圧を、上記速度差演算回路と上記スイッチ回路の駆動に要する直流電圧に変換し、当該速度差演算回路と当該スイッチ回路とにそれぞれ与える電源生成回路とを備えるよう構成している。
【００３３】
これにより、パルス幅変調クロック信号を直流電圧として変換し、その直流電圧に基づいてロジック回路を駆動させることが可能となる。そのため、パルス幅変調クロック信号を有効活用するとともに、ロジック回路を駆動するために設けていたロジック系電源やその直流電圧を供給するための配線等を削除し、ロジック系電源及びそれに関する部品点数を減らすことが可能となる。その結果、回転制御装置の省スペース化を図ること可能となり、回転制御装置及びその周辺に備えられた装置をコンパクトにすることが可能となる。
【００３４】
さらに、上記平滑回路から出力された直流電圧と、上記パルス幅変調クロック信号とに基づいて、当該パルス幅変調クロック信号の周波数が逓倍されたクロック信号を出力するＰＬＬ回路を備え、上記電源生成回路を、上記逓倍されたクロック信号を、上記速度差演算回路と上記スイッチ回路の駆動に要する直流電圧に変換し、当該速度差演算回路と当該スイッチ回路とにそれぞれ与えるチョッパ電源回路とするよう構成することができる。
【００３５】
これにより、平滑回路によって平滑化された直流電流の電圧値がロジック回路を駆動させるために十分な電圧値を有していない場合でも、上記ＰＬＬ回路によって周波数が逓倍されたクロック信号を出力させることが可能となり、そのクロック信号に基づいて、十分な電圧値を有する直流電圧を生成することが可能となる。そのため、ＰＷＭクロック信号によって確実にロジック回路を駆動させるための直流電圧を確保することが可能となるとともに、ロジック系電源及びそれに関する部品点数を減らすことが可能となる。
【００３６】
上記ＰＷＭ信号発生回路を、周波数が逓倍されたパルス幅変調クロック信号を発生する逓倍信号発生回路とし、上記逓倍されたパルス幅変調クロック信号を所定の周波数を有するパルス幅変調クロック信号に分周し、制御信号として上記速度差演算回路に出力する分周器を備え、上記平滑回路が、上記逓倍されたパルス幅変調クロック信号を平滑化し、直流電圧として上記電源生成回路に出力するよう構成することができる。
【００３７】
これにより、ロジック回路には、適切な周波数を有するクロック信号が制御信号として与えられるとともに、平滑回路には、逓倍されたパルス幅変調クロック信号が与えられるため、ロジック回路が誤作動することなく、当該平滑回路は、ロジック回路を駆動させるために十分な電圧値を有する直流電圧を獲得することが可能となる。その結果、パルス幅変調クロック信号を有効活用するとともに、ロジック系電源及びそれに関する部品点数を減らすことが可能となる。
【発明を実施するための最良の形態】
【００３８】
以下に、本発明をその実施の形態を示す図面に基づいて説明する。
【００３９】
＜回転制御装置＞
図１を参照しながら、本発明の回転制御装置がモータの回転数を制御する手順について説明する。
【００４０】
回転制御装置１００において、感光体ドラム１０１を駆動する直流ブラシレスモータ１０２の回転運動は、ギヤ、トラクション減速機等によって、感光体ドラム１０１の回転軸に伝達され、この回転制御装置１００は、感光体ドラム１０１の回転軸に取り付けられたロータリエンコーダのセンサホイールＳＷ（図示せず）が回転することにより、センサホイールＳＷの縁辺に備えられたセンサ（図示せず）がＤＣブラシレスモータ１０２の回転数に対応するモータ回転数クロック信号を出力する。このセンサホイールＳＷとセンサとが速度検知センサ１０３を構成する。出力されたモータ回転数クロック信号は、回転制御装置１００の速度差演算回路１０４に与えられる。
【００４１】
速度差演算回路１０４には、モータ回転数クロック信号に加えて、ＰＷＭ信号発生回路１０５から発信されるＰＷＭクロック信号が与えられている。
【００４２】
ＰＷＭ信号発生回路１０５は、ＰＷＭクロック信号を発振する所定の水晶振動子を備えた発振器と、例えば、画像形成装置等から要求される回転数に応じて、ＰＷＭクロック信号を分周する分周器とから構成される。上記発振器と上記分周器とは適宜周知の技術が採用される。
【００４３】
ＰＷＭ信号発生回路１０５から発信されるＰＷＭクロック信号と、モータ回転数クロック信号とを受けた速度差演算回路１０４は、両クロック信号の電圧値、周期等を比較して、両クロック信号の速度差、加速度差、位相差を出力し、それぞれに対応する差信号を出力増減手段であるチャージポンプ回路１０６に与える。上記差信号は、その差信号の種類に応じて割り当てられた配線１０７を介してチャージポンプ回路１０６にそれぞれ与えられる。配線１０７には、流れる信号の電流値を適度に調整可能とする抵抗がそれぞれ接続されている。
【００４４】
位相差に対応する差信号の電流値は、ＤＣブラシレスモータ１０２の回転トルクを増減する際に重要な役割を果たすことから、その差信号が流れる配線１０７ａは、二股に構成され、一方の配線１０７ａ１には、所定の抵抗値を有する第一の抵抗１０８ａが接続され、他方の配線１０７ａ２には、所定の信号が入力されるとスイッチの接点を接触する第一のスイッチ回路１０９ａと、第二の抵抗１０８ｂと、第三の抵抗１０８ｃとが直列に接続され、さらに、第二の抵抗１０８ｂには、第二のスイッチ回路１０９ｂが並列に接続され、第二のスイッチ回路１０９ｂの切り換えによって第二の抵抗１０８ｂに流れる電流が迂回されるよう構成されている。
【００４５】
上記第一のスイッチ回路１０９ａの接点と第二のスイッチ回路１０９ｂの接点との接触状態を切り換えることにより、位相差の差信号が流れる配線１０７ａの抵抗値を変更し、チャージポンプ回路１０６に与えられる差信号の電流値を変更する。
【００４６】
上記第一のスイッチ回路１０９ａと第二のスイッチ回路１０９ｂとを制御するのが、速度指令信号発信回路１１０である。上記速度指令信号発信回路１１０には、所定の回転数の範囲と、第一のスイッチ回路１０９ａの切り換えの可否（ＯＮ信号の出力の可否）と、第二のスイッチ回路１０９ｂの切り換えの可否（ＯＮ信号の出力の可否）とが関連付けて記憶されている。そのため、速度指令信号発信回路１１０は、例えば、感光体ドラム１０１の搭載された画像形成装置が要求する回転数に応じて、第一のスイッチ回路１０９ａと第二のスイッチ回路１０９ｂとにＯＮ信号を送信して、差信号が流れる配線１０７ａの抵抗値を適度に変更し、当該差信号の電流値を所定の電流値に変更する。上記構成により、所定の回転数に応じて、チャージポンプ回路１０６に与えられる差信号の電流値が変更される。
【００４７】
チャージポンプ回路１０６には、与えられる差信号のうち、高い周波数成分を抑制し、低い周波数成分を取り出すローパスフィルタ回路を兼ねて構成されており、当該チャージポンプ回路１０６は、与えられた差信号から、所定の周波数成分を有する信号を取り出して、その信号の電流値に対応する電圧信号をＰＬＬ速度制御回路１１１に与える。ＰＬＬ速度制御回路１１１は、与えられた電圧信号に応じて、出力するクロック信号（トルク指令信号）のパルス幅を拡縮することにより、ＤＣブラシレスモータ１０２に流す電流を増減して、ＤＣブラシレスモータ１０２（感光体ドラム１０１）の回転数（回転速度）を増減制御する。
【００４８】
＜第一の実施形態＞
次に上記図１を参照しながら、第一の実施形態の回転制御装置１００が、パルス幅変調クロック信号からロジック回路の電源を生成する手順について説明する。なお、本発明の第一の実施形態に直接には関係しない各部の詳細は省略している。
【００４９】
回転制御装置１００において、駆動部に該当する感光体ドラム１０１とＤＣブラシレスモータ１０２とに接続され、所定の電圧（電圧値が２４Ｖ、図１では破線で示す）を与える駆動系電源１１２が設けられている。
【００５０】
一方、ロジック回路（コントロールチップともいう）を構成する速度差演算回路１０４と第一のスイッチ回路１０９ａには、所定の直流電圧（電圧値が５Ｖ）を与えるロジック系電源が接続されておらず、以下の構成を採用することによって、ロジック系電源の直流電圧を賄い、ロジック回路は正常に駆動している。
【００５１】
ＰＷＭ信号発生回路１１３から速度差演算回路１０４へ与えられるＰＷＭクロック信号の配線１１４を二股にし、一方の配線１１４ａを速度差演算回路１０４に接続し、他方の配線１１４ｂを速度差演算回路１０４とは別個に設けられた平滑回路１１５に接続し、それぞれの配線１１４ａ、１１４ｂにＰＷＭクロック信号を与えるよう構成する。
【００５２】
上記平滑回路１１５は、所定の抵抗（Ｒ）１１５ａに、当該抵抗１１５ａを流れた電流を蓄積して所定の直流電圧を提供する所定のコンデンサ（Ｃ）１１５ｂが接続された回路、即ち、ＲＣ積分回路を構成し、与えられたＰＷＭクロック信号から所定の電圧値を有する直流電圧を出力する。
【００５３】
なお、上記直流電圧の電圧値は、上記ＲＣ積分回路の特性から、ＰＷＭクロック信号のデューティー比、つまり、１パルスのＨＩ信号の幅と１パルスの周期との比に応じて変更される値である。
【００５４】
例えば、１パルスのＨＩ信号、つまり、電圧値が５Ｖであり、デューティー比が５０％であるＰＷＭクロック信号がＲＣ積分回路１１２に与えられると、ＲＣ積分回路１１２が出力する信号は、２．５Ｖの電圧値を有する直流電圧の信号となる。また、１パルスの電圧値が５Ｖであり、デューティー比が７０％であるＰＷＭクロック信号がＲＣ積分回路に与えられると、平滑化された信号は、電圧値が３．５Ｖである直流電圧の信号となる。
【００５５】
さらに、上記ＲＣ積分回路から出力される直流電圧は電源生成回路１１５ｃに与えられるよう構成されている。上記電源生成回路１１５ｃは、例えば、低ドロップアウトレギュレータ（ＬＤＯ）が採用されており、ＲＣ積分回路から出力された直流電圧を、ロジック系回路の駆動に要する直流電圧に変換している。
【００５６】
なお、上記電源生成回路１１５ｃには、所定の増幅回路が適宜組み込まれ、ＲＣ積分回路から入力された直流電圧を、ロジック回路の駆動を正常に行える所定の電圧値（例えば、３．３Ｖ等）を有する直流電圧に変換可能となるよう構成されても構わない。また、生成される直流電圧等に所定のノイズが含まれないよう、所定のフィルタ回路が上記電源生成回路１１５ｃに組み込まれていても構わない。
【００５７】
また、例えば、ＲＣ積分回路から出力された直流電圧の電圧値が十分でない場合、ＰＷＭクロック信号のデューティー比を増加させて、電源生成回路１１５ｃが十分な電圧値を有する直流電圧を出力するよう構成しても構わない。
【００５８】
上記電源生成回路１１５ｃから出力される直流電圧（電圧値が３．３Ｖ、図１では破線で示す）は、上記ロジック回路、即ち、速度差演算回路１０４と第一のスイッチ回路１０９ａとに与えられるよう構成される。上記構成により、速度差演算回路１０４と第一のスイッチ回路１０９ａはロジック系電源がなくても、正常に駆動することになる。
【００５９】
このように、パルス幅変調クロック信号を平滑化し、直流電圧として出力する平滑回路と、上記平滑回路から出力された直流電圧を、ロジック回路の駆動に要する直流電圧に変換する電源生成回路とを備えるよう構成している。
【００６０】
これにより、パルス幅変調クロック信号を直流電圧として変換し、その直流電圧に基づいてロジック回路を駆動させることが可能となる。そのため、パルス幅変調クロック信号を有効活用するとともに、ロジック回路を駆動するために設けていたロジック系電源やその直流電圧を供給するための配線等を削除し、ロジック系電源及びそれに関する部品点数を減らすことが可能となる。その結果、回転制御装置の省スペース化を図ること可能となり、回転制御装置及びその周辺に備えられた装置をコンパクトにすることが可能となる。
【００６１】
＜第二の実施形態＞
次に図２を参照しながら、第二の実施形態の回転制御装置が、パルス幅変調クロック信号からロジック回路の電源を生成する手順について説明する。第一の実施形態と比較して、第二の実施の形態の異なる点は、上記平滑回路から出力された直流電圧と、パルス幅変調クロック信号とに基づいて、当該パルス幅変調クロック信号の周波数が逓倍されたクロック信号を出力するＰＬＬ回路を備え、上記電源生成回路を、上記逓倍されたクロック信号を、ロジック回路の駆動に要する直流電圧に変換するチョッパ電源回路とするよう構成した点である。その他の点については、第一の実施形態と同様であるため、第二の実施形態に直接には関係しない各部の詳細は省略する。また、第一の実施形態と同一符号であるものについても説明は省略する。
【００６２】
まず、ＰＷＭ信号発生回路１１３から出力されたＰＷＭクロック信号が、速度差演算回路１０４に与えられず、平滑回路２０１に与えるよう構成される。
【００６３】
上記平滑回路２０１では、ＰＷＭクロック信号が流れる配線２０２は二股に構成され、一方の配線２０２ａには、所定の抵抗（Ｒ）２０１ａに当該抵抗２０１ａを流れた電流を蓄積して所定の直流電圧を提供する所定のコンデンサ（Ｃ）２０１ｂが接続された回路（ＲＣ積分回路）が接続され、ＰＷＭクロック信号を平滑化された信号に変換するよう構成されている。上記ＲＣ積分回路には、さらに、ＰＬＬ回路２０１ｃが接続され、当該ＰＬＬ回路２０１ｃには、ＰＷＭクロック信号が流れる他方の配線２０２ｂが接続されている。そのため、上記ＰＬＬ回路２０１ｃは、ＲＣ積分回路から入力された直流電圧とＰＷＭクロック信号とに基づいて、周波数が整数倍されたクロック信号、即ち、逓倍されたクロック信号を出力する。上記構成により、ＰＷＭ信号発生回路１１３から出力されたＰＷＭクロック信号を、逓倍されたクロック信号に変換することが可能となる。
【００６４】
なお、上記ＰＬＬ回路２０１ｃは、例えば、入力された二つの信号の位相差を電圧に変換し出力する位相比較器と、位相比較器から出力される位相差に比例した誤差信号をノイズの少ない直流電圧に変換するループフィルタと、ループフィルタから与えられた直流電圧によって出力パルス信号の周波数を制御するＶＣＯ（Ｖｏｌｔａｇｅ  Ｃｏｎｔｒｏｌｌｅｄ  Ｏｓｃｉｌｌａｔｏｒ）と、ＶＣＯから与えられた周波数をＮ分割（Ｎは整数又は分数）して出力する分周器とから構成される。
【００６５】
ＰＬＬ回路２０１ｃから出力される逓倍されたクロック信号の配線２０３は、さらに二股に構成され、一方の配線２０３ａは、モータ回転数クロック信号が与えられる速度差演算回路１０４に接続され、その速度差演算回路１０４は、逓倍されたクロック信号とモータ回転数クロック信号とに基づいて、モータの回転数を制御するための差信号を出力する。また、逓倍されたクロック信号が流れる他方の配線２０３ｂは、速度差演算回路１０４等とは別個に設けられたチョッパ電源回路２０４に接続される。
【００６６】
チョッパ電源回路２０４では、逓倍されたクロック信号が流れる他方の配線２０３ｂが、駆動系電源１１２と接続されるドレイン端子を有するスイッチングトランジスタ２０５のゲート端子に接続され、そのスイッチングトランジスタ２０５のソース端子に、抵抗値を小さく設定され、インダクタンスを大きく設定されたチョークコイル２０６の一端が接続される。上記チョークコイル２０６は、上記スイッチングトランジスタ２０５のＯＮによって電流を蓄積し、そのスイッチングトランジスタ２０５のＯＦＦによって電流を放出するが、上記構成により、逓倍されたクロック信号により、スイッチングトランジスタ２０５は、高速に電流のＯＮとＯＦＦとを繰り返すこととなり、チョークコイル２０６は、高速に電流の蓄積と放出を繰り返すこととなる。
【００６７】
なお、上記スイッチングトランジスタ２０５は、例えば、ＭＯＳＦＥＴ（金属(ｍｅｔａｌ)−半導体酸化物(ｏｘｉｄｅ)−半導体(ｓｅｍｉｃｏｎｄｕｃｔｏｒ)の三層構造からなる電界効果型トランジスタ（Ｆｉｅｌｄ  Ｅｆｆｅｃｔ Ｔｒａｎｓｉｓｔｏｒ））等が採用されるが、所定のスイッチング素子であればよく、バイポーラトランジスタ等を採用しても構わない。
【００６８】
また、スイッチングトランジスタ２０５のソース端子とチョークコイル２０６の一端とを接続する配線２０７から、新たに配線２０７ａを伸ばし、その配線２０７ａにアノード端子がアースと接続されたダイオード２０８のカソード端子を直列に接続するよう構成する。上記構成とすると、スイッチングトランジスタ２０５のソース端子とチョークコイル２０６の一端とを接続する配線２０７を介して、所定の電圧値を越える信号がチョークコイル２０６に流れる場合、超過した電流値をダイオード２０８がアースに逃す機能を果たし、当該チョークコイル２０６に過電流が流れないようにすることができる。
【００６９】
また、上記チョークコイル２０６の他端には、当該チョークコイル２０６の放出した電流を蓄積して所定の直流電圧を提供するコンデンサ２０９が接続され、そのコンデンサ２０９が出力される直流電圧（電圧値が３．３Ｖ、図２では破線で示す）が、ロジック回路である速度差演算回路１０４と第一のスイッチ回路１０９ａとに与えられるよう構成されている。上記構成により、速度差演算回路１０４と第一のスイッチ回路１０９ａはロジック系電源がなくても、正常に駆動することになる。なお、ロジック回路の駆動に要する直流電圧を適宜獲得するために、上述したスイッチングトランジスタ２０５、チョークコイル２０６、ダイオード２０８、コンデンサ２０９のそれぞれの特性は適宜設計変更される。
【００７０】
このように、上記平滑回路から出力された直流電圧と、パルス幅変調クロック信号とに基づいて、当該パルス幅変調クロック信号の周波数が逓倍されたクロック信号を出力するＰＬＬ回路を備え、上記電源生成回路を、上記逓倍されたクロック信号を、ロジック回路の駆動に要する直流電圧に変換するチョッパ電源回路とするよう構成することができる。
【００７１】
これにより、平滑回路によって平滑化された直流電流の電圧値がロジック回路を駆動させるために十分な電圧値を有していない場合でも、上記ＰＬＬ回路によって周波数が逓倍されたクロック信号を出力させることが可能となり、そのクロック信号に基づいて、十分な電圧値を有する直流電圧を生成することが可能となる。そのため、ＰＷＭクロック信号によって確実にロジック回路を駆動させるための直流電圧を確保することが可能となるとともに、ロジック系電源及びそれに関する部品点数を減らすことが可能となる。
【００７２】
＜第三の実施形態＞
次に図３を参照しながら、第三の実施形態の回転制御装置が、パルス幅変調クロック信号からロジック回路の電源を生成する手順について説明する。第一の実施形態と比較して、第三の実施の形態の異なる点は、周波数が逓倍されたパルス幅変調クロック信号を発生する逓倍信号発生回路と、上記逓倍されたパルス幅変調クロック信号を所定の周波数を有するパルス幅変調クロック信号に分周し、制御信号としてロジック回路に出力する分周器とを備え、上記平滑回路が、逓倍されたパルス幅変調クロック信号を平滑化し、上記電源生成回路に出力するよう構成した点である。その他の点については、第一の実施形態と同様であるため、第三の実施形態に直接には関係しない各部の詳細は省略する。また、第一の実施形態と同一符号であるものについても説明は省略する。
【００７３】
まず、周波数を整数倍されたＰＷＭクロック信号、即ち、逓倍されたＰＷＭクロック信号を発振する逓倍信号発生回路３０１を第一の実施形態のＰＷＭ信号発生回路１１３の代わりに設ける。上記逓倍信号発生回路３０１は、画像形成装置の要求に応じて、逓倍されたＰＷＭクロック信号を発生する。
【００７４】
逓倍信号発生回路３０１から速度差演算回路１０４へ与えられる逓倍されたＰＷＭクロック信号の配線３０２を二股にし、一方の配線３０２ａを平滑回路３０３に接続し、他方の配線３０２ｂを、入力されたＰＷＭクロック信号を所定の周波数を有するクロック信号に分周する分周器３０４に接続し、それぞれの配線３０２ａ、３０２ｂに逓倍されたＰＷＭクロック信号を与えるよう構成する。
【００７５】
平滑回路３０３では、逓倍されたＰＷＭクロック信号が流れる配線３０２ａに所定の抵抗（Ｒ）３０３ａが接続され、その抵抗３０３ａを流れる電流を蓄積して所定の直流電圧を提供する所定のコンデンサ（Ｃ）３０３ｂが接続された回路（ＲＣ積分回路）が設けられている。上記ＲＣ積分回路に逓倍されたＰＷＭクロック信号が与えられると、高周波数であることから、上記コンデンサ３０３ｂは、電圧値の高い直流電圧を出力することになる。
【００７６】
出力された直流電圧は、さらに電源生成回路３０３ｃに与えられ、ロジック回路の駆動に要する直流電圧に変換され、その変換された直流電圧（電圧値が３．３Ｖ、図３では破線で示す）が速度差演算回路１０４と第一のスイッチ回路１０９ａとに与えられることになる。なお、上記電源生成回路３０３ｃは、例えば、低ドロップアウトレギュレータ（ＬＤＯ）が採用される。
【００７７】
また、他方の配線３０２ｂを流れる逓倍されたＰＷＭクロック信号は、上記分周器３０４によって、適切に分周されて、制御信号として速度差演算回路１０４に与えられる。そのため、速度差演算回路１０４は、分周されたＰＷＭクロック信号とモータ回転数クロック信号とに基づいて適切な差信号を出力し、結果として、回転制御装置１００が適切にモータの回転数を制御することとなる。
【００７８】
また、上記構成とすると、例えば、電源生成回路３０３ｃが出力する直流電圧が、ロジック系電源に相当する直流電圧を供給することが出来ない場合、逓倍信号発生回路３０１から出力されるＰＷＭクロック信号をさらに逓倍したとしても、その逓倍されたＰＷＭクロック信号が制御信号として速度差演算回路１０４に与えられることはないため、当該速度差演算回路１０４が誤作動するという事態を防止し、正常にロジック回路を駆動させることが可能となる。
【００７９】
このように、周波数が逓倍されたパルス幅変調クロック信号を発生する逓倍信号発生回路と、上記逓倍されたパルス幅変調クロック信号を所定の周波数を有するパルス幅変調クロック信号に分周し、制御信号としてロジック回路に出力する分周器とを備え、上記平滑回路が、逓倍されたパルス幅変調クロック信号を平滑化し、上記電源生成回路に出力するよう構成することができる。
【００８０】
これにより、ロジック回路には、適切な周波数を有するクロック信号が制御信号として与えられるとともに、平滑回路には、逓倍されたパルス幅変調クロック信号が与えられるため、ロジック回路が誤作動することなく、当該平滑回路は、ロジック回路を駆動させるために十分な電圧値を有する直流電圧を獲得することが可能となる。その結果、パルス幅変調クロック信号を有効活用するとともに、ロジック系電源及びそれに関する部品点数を減らすことが可能となる。
【００８１】
なお、第一の実施形態乃至第三の実施形態の平滑回路は、ＲＣ積分回路を採用するよう構成したが、他の回路素子、例えば、大容量の電解コンデンサやトランスコイル等を組み合せて構成される回路を採用しても構わない。
【００８２】
また、第一の実施形態乃至第二の実施形態の電源生成回路、第三の実施形態のチョッパ電源回路は、ロジック回路の速度差演算回路と第一のスイッチ回路とに直流電圧を与えるよう構成したが、例えば、その他のロジック系電源によって直流電圧が与えられているロジック回路に当該直流電圧を与えるよう構成しても構わない。
【００８３】
また、第一の実施形態乃至第三の実施形態の回転制御装置は、ＤＣブラシレスモータに採用したが、ＤＣブラシ付モータまたはこれらに関連するモータに採用しても構わない。
【００８４】
また、第一の実施形態乃至第三の実施形態の回転制御装置は、ＤＣブラシレスモータが接続された感光体ドラムの回転機構に採用したが、転写ローラ、搬送ローラまたはこれらに関連するローラに採用しても構わない。
【産業上の利用可能性】
【００８５】
以上のように、本発明に係る回転制御装置は、複写機、プリンタ、複合機等に利用されるＤＣブラシレスモータに有用であり、パルス幅変調クロック信号からロジック回路の駆動に要する直流電源を生成することが可能な回転制御装置として有効である。
【図面の簡単な説明】
【００８６】
【図１】本発明の第一の実施形態に係る回転制御装置を示す回路図である。
【図２】本発明の第二の実施形態に係る回転制御装置を示す回路図である。
【図３】本発明の第三の実施形態に係る回転制御装置を示す回路図である。
【図４】従来技術に係る回転制御装置を示す回路図である。
【符号の説明】
【００８７】
１００  回転制御装置
１０１  感光体ドラム
１０２  ＤＣブラシレスモータ
１０３  速度検知センサ
１０４  速度差演算回路
１０６  チャージポンプ回路
１０９  スイッチ回路
１１０  速度指令信号発生回路
１１１  ＰＬＬ速度制御回路
１１２  駆動系電源
１１３  ＰＷＭ信号発生回路
１１５  平滑回路
１１５ｃ  電源生成回路
２０３ｃ  ＰＬＬ回路
２０４  チョッパ電源回路
２０５  スイッチングトランジスタ
２０６  チョークコイル
２０８  ダイオード
２０９  コンデンサ
３０１  逓倍信号発生回路
３０４  分周器
【図１】
0005253890.tif 000002
【図２】
0005253890.tif 000003
【図３】
0005253890.tif 000004
【図４】
0005253890.tif 000005